(57)【特許請求の範囲】
【請求項１】
ばね蓄勢駆動機構の出力軸に連携された駆動軸により回転する絶縁板の一方の面上に、同一相を構成する複数の真空スイッチおよび制限抵抗を横置き状態で配置するとともに、前記駆動軸の回転により動作するカム機構と、そのカム機構により往復移動するアーム部材とを備え、そのアーム部材の往復移動により前記真空スイッチの開閉を行いタップ切換過程の電流切換を行うようにした切換開閉器と、
切換開閉器の開閉動作に同期して動作するタップ選択器と、を備え、
前記タップ選択器は、前記絶縁板の他方の面側に設けた、前記真空スイッチおよび制限抵抗と接続される可動接触子と、その絶縁板と対向して配置したタップ選択器板上に配置した複数の固定接触子とを備え、回転する前記絶縁板の動作により前記可動接触子が所定の固定接触子と接触・通電するように構成したことを特徴とする負荷時タップ切換器。
【請求項２】
前記絶縁板の外形寸法より前記タップ選択器板の外形寸法を大きくし、その絶縁板とタップ選択器板を対向配置した際に前記タップ選択器板の外周縁が前記絶縁板の外側に突出するようにし、
上下に重ねて配置した各相のタップ選択器板を連結し、
前記駆動軸は前記タップ選択器板に対して相対的に回転自在に連携され、
前記駆動軸と前記絶縁板は連結して一体に回転するようにしたことを特徴とする請求項１に記載の負荷時タップ切換器。
【請求項３】
前記制限抵抗は、前記絶縁板の両側に配置することを特徴とする請求項１または２に記載の負荷時タップ切換器。
【発明の詳細な説明】
【技術分野】
【０００１】
本発明は、負荷時タップ切換器に関するものである。
【背景技術】
【０００２】
負荷時タップ切換器は、送電線あるいは配電線の電圧を調整するために、電圧の変動に応じて変圧器の負荷電流が通電した状態で、巻線のタップを切り換える装置であり、切換部が絶縁媒体中に配置され、絶縁媒体中で負荷電流を開閉するタイプと、切換部に真空スイッチを用いたタイプがある。
【０００３】
係る変圧器のタップ切換に用いられる真空スイッチを用いた負荷時タップ切換器の切換開閉器は、タップ切換過程で電流遮断を行う切換開閉器と、変圧器巻線のタップリード線が接続されタップ選択を行うタップ選択器から構成されている。変圧器タンクに取り付けた状態から大地間絶縁距離を確保した位置に切換開閉器が配置され、その切換開閉器は真空スイッチを駆動する機構が三相一括構造となっている。そして、その三相一括構造の切換開閉器の下部にタップ選択器が配置された段積み構成で配置され、切換開閉器とタップ選択器は導体などで接続される構造となっている。この種の負荷時タップ切換器としては、例えば特許文献１に開示された装置がある。
【先行技術文献】
【特許文献】
【０００４】
【特許文献１】特公平０７−０７５２１０号公報
【発明の概要】
【発明が解決しようとする課題】
【０００５】
従来の負荷時タップ切換器は、三相一括構造の切換開閉器とタップ選択器を段積みとしているため以下に示す課題がある。例えばタップ切換器を三角結線の変圧器に用いる場合、各タップ切換器に線間電圧が印加され、その相間絶縁のため絶縁距離を確保する必要がある。従来の真空スイッチ式の負荷時タップ切換器では切換開閉器部とタップ選択器が段積みで構成されていることから、それぞれの相間絶縁を確保するためにはタップ切換器全体が大型化してしまう。
【課題を解決するための手段】
【０００６】
上述した課題を解決するために、本発明は、（１）ばね蓄勢駆動機構の出力軸に連携された駆動軸により回転する絶縁板の一方の面上に、同一相を構成する複数の真空スイッチおよび制限抵抗を横置き状態で配置するとともに、前記駆動軸の回転により動作するカム機構と、そのカム機構により往復移動するアーム部材とを備え、そのアーム部材の往復移動により前記真空スイッチの開閉を行いタップ切換過程の電流切換を行うようにした切換開閉器と、切換開閉器の開閉動作に同期して動作するタップ選択器と、を備え、前記タップ選択器は、前記絶縁板の他方の面側に設けた、前記真空スイッチおよび制限抵抗と接続される可動接触子と、その絶縁板と対向して配置したタップ選択器板上に配置した複数の固定接触子とを備え、回転する絶縁板の動作により前記可動接触子が所定の固定接触子と接触・通電するように構成した。
【０００７】
横置き状態とは、真空スイッチの接点の開閉する方向が絶縁板と平行、すなわち接点を開閉させるロッドの移動方向が絶縁板と平行な状態を言う。絶縁板は実施形態では切換開閉器板５２に対応する。アーム部材は、実施形態では、ロッカーアーム７１，７２に対応する。可動接触子は実施形態では各可動接点に対応し、固定接触子は実施形態では各固定接点に対応する。
【０００８】
従来は切換開閉器とタップ選択器が別々の構成で、それぞれ相間絶縁距離を確保していたが、回転する絶縁板に切換開閉器とタップ選択器を相毎に一体構成したことにより絶縁距離が各相間のみになることで縮小化が可能となる。そして、切換開閉器とタップ選択器を相毎に一体で組立てるため、切換開閉器とタップ選択器間の接続が簡素化できる。また、相毎にユニット組立が可能になるため、組立作業性の向上やリードタイムの短縮を図ることができる。また、３相器においては、タップ巻線を接続する固定接触子の配置角度を相毎にずらすことにより、変圧器からのタップ巻線の配線・配置が統一化でき、配線作業誤りを低減することができる。
【０００９】
１相あたりの真空スイッチ数は、第一実施形態では２個としたが第二実施形態のように３個としたり、さらに４個以上としたりしても良い。また、駆動軸も２軸構成にしてもよい。
【００１０】
（２）前記絶縁板の外形寸法より前記タップ選択器板の外形寸法を大きくし、その絶縁板とタップ選択器板を対向配置した際に前記タップ選択器板の外周縁が前記絶縁板の外側に突出するようにし、上下に重ねて配置する各相のタップ選択器板を連結し、前記駆動軸は前記タップ選択器板に対して相対的に回転自在に連携され、前記駆動軸と前記絶縁板は連結して一体に回転するようにするとよい。（３）前記制限抵抗は、前記絶縁板の両側に配置するとよい。
【発明の効果】
【００１１】
本発明では、構成を簡単化し、装置を小型化することができる。
【図面の簡単な説明】
【００１２】
【図１】本発明に係る負荷時タップ切換器の好適な一実施形態を示す外観図である。
【図２】本発明を適用した負荷時タップ切換器の結線図で、（ａ）は三角結線変圧器に負荷時タップ切換器を設けた負荷時タップ切換変圧器の結線図、（ｂ） は単巻変圧器に負荷時タップ切換器を設けた自動電圧調整器の結線図、（ｃ）は切換開閉器の一相分（１抵抗２真空スイッチ）が、タップ巻線２Ｔのタップ３に接続している状態を示す図である。
【図３】図１におけるＡ−Ａ線矢視図であり、本実施形態の切換開閉器構造（真空スイッチ配置および真空スイッチ駆動機構）を示す図である。
【図４】図１におけるＢ−Ｂ線矢視図であり、タップ選択器（接点配置）を示す図である。
【図５】ロッカーアームの駆動機構を示す図で（ａ）は側面図、（ｂ）および（ｃ）は変換カム形状の一例である。
【図６】負荷時タップ切換器のタップ切換の動作説明図である。
【図７】負荷時タップ切換器のタップ切換の動作説明図である。
【図８】負荷時タップ切換器のタップ切換の動作説明図である。
【図９】負荷時タップ切換器のタップ切換の動作説明図である。
【図１０】負荷時タップ切換器のタップ切換の動作説明図である。
【図１１】負荷時タップ切換器のタップ切換の動作説明図である。
【図１２】負荷時タップ切換器のタップ切換の動作説明図である。
【図１３】本発明の第２実施形態の要部構成を示す図で、（ａ）は切換開閉器構造（真空スイッチ配置および真空スイッチ駆動機構）を、（ｂ）はタップ選択器（接点配置）を示す図である。
【図１４】本発明の第２実施形態に対応する１抵抗３真空スイッチの負荷時タップ切換器の結線図で、（ａ）は偶数側のタップが通電している状態を示す図、（ｂ）は奇数側のタップが通電している状態を示す図である。
【発明を実施するための形態】
【００１３】
図１は、本発明に係る負荷時タップ切換器の好適な第一実施形態を示している。図示するように、本実施形態の負荷時タップ切換器１は、その外形状が全体として略円筒形となる。そして負荷時タップ切換器１は、相ごとに変圧器のタップ巻線のうち運転するタップを選択するタップ選択器２０と、そのタップ選択器２０で通電状態のまま選択されたタップに回路を切り換える切換開閉器１０とを備える。そして本実施形態では、それら切換開閉器１０とタップ選択器２０を回転する絶縁体に相ごとに一体に構成した。各相の配置は、上から順にＵ相、Ｖ相、Ｗ相とした。
【００１４】
さらに切換開閉器１０の上方に、切換開閉器１０とタップ選択器２０とを駆動させるためのばね蓄勢駆動機構４を配置する。ばね蓄勢駆動機構４は、ばね４ａに蓄勢されたエネルギーを開放して出力軸５を間欠に所定角度毎に回転させる。この出力軸５の回転に追従して、切換開閉器１０とタップ選択器２０は同期して動作し、所望のタップが選択されるとともに、切換開閉器１０の真空スイッチが開閉する。また、このばね蓄勢駆動機構４の入力軸は、天板４ｂの上面に配置した駆動モータ４５の出力軸に連結し、駆動モータ４５の回転に伴いばね蓄勢駆動機構４の入力軸が回転しばね４ａを蓄勢する。なお入力軸に与える回転力は、本実施形態では駆動モータ４５を用いたが手動により与えるようにしても良い。さらに上述したばね４ａその他の構成要素は、底板４ｃの上に連結柱４ｄを介して天板４ｂが配置されており、底板４ｃと天板４ｂとが所定の距離を隔てて一体化する。そして、底板４ｃ上にばね４ａなどの構成部品が配置される。ばね蓄勢駆動機構４は、従来公知の各種の機構を用いることができるため、その詳細な説明を省略する。
【００１５】
図２は、本実施形態の負荷時タップ切換器の適用例で、図２（ａ）は三角結線変圧器に負荷時タップ切換器を設けた負荷時タップ切換変圧器の結線図である。 図２ （ｂ） は単巻変圧器に負荷時タップ切換器を設けた自動電圧調整器の結線図である。主巻線２Ｍと直列にタップ巻線２Ｔが接続されており、このタップ巻線２Ｔに電圧を切り換えるための複数（本実施形態では９個）のタップ３が設けられている。
【００１６】
そして、図２（ｃ）は、図２（ａ）および（ｂ）における切換開閉器１０およびタップ選択器２０の一相分（１抵抗２真空スイッチ）が、タップ巻線２Ｔのタップ３に接続している状態を示しており、後述するタップ切換動作により図中の上方または下方の矢印の方向に移動してタップ切換を行なう。なお、後述するように実際のタップの切換動作は水平面内での回転により行う。
【００１７】
図２（ｃ）に示すように、一相分の切換開閉器１０は、第一の真空スイッチ１１と、第二の真空スイッチ１２と、制限抵抗（限流抵抗）１３とを備えて構成される。より具体的な回路構成は、第二の真空スイッチ１２と制限抵抗１３を直列に接続し、第一の真空スイッチ１１の一端と、制限抵抗１３の第二の真空スイッチ１２との非接続側を共通接続端子１４に接続する。
【００１８】
相ごとに形成された切換開閉器１０とタップ選択器２０は、各相で同じ構成を採るため、以下の説明では、最上位に設定されたＵ相を例にとって説明する。図１に示すように各相の下側にタップ選択器板５１を配置するとともに、その上方に所定の距離を置いて円板状の切換開閉器板５２を配置する。これらタップ選択器板５１と、切換開閉器板５２は、ともに絶縁体から形成する。上下に配置した各相のタップ選択器板５１は、円周上に複数設置された柱部４３により上下に所定の距離をおいて連結される。さらに、タップ選択器板５１と切換開閉器板５２は、同心に配置され、上下方向に伸ばして配置された駆動軸６に連携される。駆動軸６は、ばね蓄勢駆動機構４の出力軸５に連結され、一体となって回転する。つまり、駆動軸６は、出力軸５の回転に伴い間欠的に回転する。
【００１９】
図３に示すように切換開閉器板５２の上側から見ると、切換開閉器板５２の周縁の外側にタップ選択器板５１の外周縁が突出した状態となるとともに、タップ選択器板５１，切換開閉器板５２の中心が一致する。
【００２０】
また、タップ選択器板５１は、駆動軸６を軸受け支持し、両者は相対的に回転自在となる。すなわち、図４に示すようにタップ選択器板５１の中心位置に貫通孔５１ａが形成されており、この貫通孔５１ａ内を貫通するように駆動軸６が挿入配置される。上下に配置されたタップ選択器板５１は相互に連結されており、駆動軸６が回転自在に軸受け支持されることで、駆動軸６の回転が許容される。
【００２１】
一方、切換開閉器板５２は、駆動軸６に連結され、駆動軸６と一体になって回転する。よって、駆動軸６が間欠的に回転すると、タップ選択器板５１は回転移動せず切換開閉器板５２が間欠的に回転し、タップ選択器板５１と切換開閉器板５２との相対角度位置関係が変わっていく。
【００２２】
図４（ａ）に示すように、タップ選択器板５１は、その上面に所定パターンの複数の導体プレートが設置され、各導体プレートが所定の固定接点を構成する。すなわち、共通固定接点５３は、貫通孔５１ａと同心円の円形導体プレート５３ａと、その円形導体プレート５３ａから径方向外側に伸びる帯状導体プレート５３ｂとから構成される。帯状導体プレート５３ｂの先端は、タップ選択器板５１の外周縁に至る。
【００２３】
また、円形導体プレート５３ａの外周側には、放射状に複数のタップ固定接点５４が配置される。タップ固定接点５４は、貫通孔５１ａを中心とした同心円上に離散配置された円弧状導体プレート５４ａと、その円弧状導体プレート５４ａから径方向外側に伸びる帯状導体プレート５４ｂとから構成される。帯状導体プレート５４ｂの先端は、タップ選択器板５１の外周縁に至る。タップ固定接点５４（帯状導体プレート５４ｂの先端）には、タップ接続線３Ｓを介してタップ巻線の対応するタップへ接続され、導通する。
【００２４】
各導体プレート５３ａ，５３ｂ，５４ａ，５４ｂは、タップ選択器板５１の上面に形成した凹部５１ｂ内に挿入配置する。図４（ｂ）に示すように、凹部５１ｂの深さは、円弧状導体プレート５４ａの厚さと等しくする。他の導体プレートも同様である。これにより、導体プレートの表面とタップ選択器板５１の上面が面一となる。
【００２５】
図３に示すように、切換開閉器板５２上には、２つの真空スイッチ（第一，第二の真空スイッチ１１，１２）と制限抵抗１３を横置き状態で配する。すなわち、第一の真空スイッチ１１と、第二の真空スイッチ１２は、横置きで切換開閉器板５２の所定の直径に対して平行で、かつその直径から等距離離して配置する。さらに第二の真空スイッチ１２の外側には、制限抵抗１３を平行に配置する。図１に示すように、制限抵抗１３は切換開閉器板５２の上下に分けて２本配置している。
【００２６】
第一の真空スイッチ１１内には第一接点１１ａが内蔵される。図３に示す状態では第一接点１１ａは閉じており、第一の真空スイッチ１１は閉路状態となっている。この第一接点１１ａの一方の接点片１１ａ′は第一の真空スイッチ１１内で固定されており、他方の接点片１１ａ″はスラスト方向に前後進移動可能に配置される。この他方の接点片１１ａ″が前後進移動することで、両接点片１１ａ′，１１ａ″が接触して接点が閉じた状態と離反して接点が開いた状態をとる。一方の接点片１１ａ′は、リード部材５５を経由して切換開閉器板５２の下面側に配置した切換開閉器１０を構成する第一可動接点５６に接続する。この第一可動接点５６は、例えばローラコンタクトにより構成すると良い。そして、第一可動接点５６は、タップ固定接点５４の円弧状導体プレート５４ａに接触して導通する。
【００２７】
他方の接点片１１ａ″は、ロッド５７に電気的並びに機械的に接続され、ロッド５７のスラスト方向の移動に伴い接点の開閉動作を行う。ロッド５７は、リード部材５８に導通しており、そのリード部材５８を経由して切換開閉器板５２の下面側に配置した切換開閉器１０を構成する共通可動接点５９に接続する。これにより他方の接点片１１ａ″は、共通可動接点５９に導通する。この共通可動接点５９は、例えばローラコンタクトにより構成すると良い。そして、共通可動接点５９は、共通固定接点５３の円形導体プレート５３ａに接触して導通する。
【００２８】
同様に、第二の真空スイッチ１２内には第二接点１２ａが内蔵される。図３に示す状態では第二接点１２ａは閉じており、第二の真空スイッチ１２は閉路状態となっている。この第二接点１２ａの一方の接点片１２ａ′は第二の真空スイッチ１２内で固定されており、他方の接点片１２ａ″はスラスト方向に前後進移動可能に配置される。この他方の接点片１２ａ″が前後進移動することで、両接点片１２ａ′，１２ａ″が接触して接点が閉じた状態と離反して接点が開いた状態をとる。一方の接点片１２ａ′は、リード部材６５を経由して切換開閉器板５２の下面側に配置した切換開閉器１０を構成する第二可動接点６６に接続する。この第二可動接点６６は、例えばローラコンタクトにより構成すると良い。そして、第二可動接点６６は、タップ固定接点５４の円弧状導体プレート５４ａに接触して導通する。
【００２９】
他方の接点片１２ａ″は、ロッド６７に電気的並びに機械的に接続され、ロッド６７のスラスト方向の移動に伴い接点の開閉動作を行う。ロッド６７は、図示していない制限抵抗１３を介してリード部材６８に導通しており、そのリード部材６８を経由して切換開閉器板５２の下面側に配置した共通可動接点５９に接続する。
【００３０】
第一の真空スイッチ１１の他方の接点片１１ａ″に接続されたロッド５７の先端５７ａと、第二の真空スイッチ１２の他方の接点片１２ａ″に接続されたロッド６７の先端６７ａには、それぞれ第一，第二のロッカーアーム７１，７２の先端７１ａ，７２ａが連携される。第一，第二のロッカーアーム７１，７２の基端７１ｂ，７２ｂは、共通の回転軸７３に連携され、その回転軸７３を回転中心としてそれぞれ相互に独立して揺動する。この揺動は、駆動軸６の回転に伴い動作するカム機構により駆動を受けて動作する。
【００３１】
すなわち、図３，図５（ａ）に示すように駆動軸６には、第一歯車７５が連結され、一体に回転する。第一歯車７５は、切換開閉器板５２上に回転可能に起立配置された動作軸７６に連結された第二歯車７７と噛み合う。この動作軸７６には、上下に位置をずらして第一変換カム８１と第二変換カム８２が連結され動作軸７６の回転と一体となって回転する。これにより、駆動軸６が回転すると、第一変換カム８１と第二変換カム８２が回転する。
【００３２】
第一変換カム８１の外周側面がカム面となり、このカム面に第一のロッカーアーム７１の中間位置に取り付けたカムフォロア８４が接触する。同様に第二変換カム８２の外周側面がカム面となり、このカム面に第二のロッカーアーム７２の中間位置に取り付けたカムフォロア８５が接触する。図５（ｂ），（ｃ）に示すように、第一，第二変換カム８１，８２は、カム面を構成する外周側面の一部に凸部８１ａ，８２ａを備える。これにより、第一変換カム８１が回転すると、第一のロッカーアーム７１に取り付けたカムフォロア８４が凸部８１ａに接触すると、外側に付勢され図３において反時計方向に回転し、第一のロッカーアーム７１の先端７１ａが第一の真空スイッチ１１から離反する方向に移動する。これにより、他方の接点片１１ａ″が一方の接点片１１ａ′から離反する方向に移動する。同様に第二変換カム８２が回転すると、第二のロッカーアーム７２に取り付けたカムフォロア８５が凸部８２ａに接触すると、外側に付勢され図３において時計方向に回転し、第二のロッカーアーム７２の先端７２ａが第二の真空スイッチ１２から離反する方向に移動する。これにより、他方の接点片１２ａ″が一方の接点片１２ａ′から離反する方向に移動する。
【００３３】
このように両真空スイッチ１１，１２は駆動軸６に設けられた第一歯車７５を介して変換カム８１，８２およびロッカーアーム７１，７２の動作により回転に合わせて所定の各真空スイッチ１１，１２の開路や閉路を行いタップ切換過程の電流切換を行う。具体的には以下の通りである。
【００３４】
図６は、動作前状態の一例を示している。この状態では、第一可動接点５６，第二可動接点６６は、同一のタップ固定接点５４（ここでは、タップ『２』に接続されるタップ固定接点５４）に接触し、第一の真空スイッチ１１，第二の真空スイッチ１２の接点は共に閉路状態となっている。また、共通可動接点５９は共通固定接点５３に接触している。
【００３５】
図７は、動作過程１の状態を示している。この状態では、ばね蓄勢駆動機構４の動作力によって、駆動軸６が回転（動作角５°）し、駆動軸６と連結されている切換開閉器板５２と第一歯車７５が回転する。すると、切換開閉器板５２に取り付いている両可動接点５６，６６ および共通可動接点５９が、タップ選択器板５１のタップ固定接点５４（円弧状導体プレート５４ａ）および共通固定接点５３（円形導体プレート５３ａ）上をスライドしながら移動する。
【００３６】
また、このとき駆動軸６の回転に伴い第一歯車７５も一体となって回転し、その第一歯車７５と噛み合っている第二歯車７７も回転する。これにより、第二歯車７７が連結されている動作軸７６ひいては第一変換カム８１，第二変換カム８２が回転する。すると、第一変換カム８１の凸部８１ａに第一ロッカーアーム７１のカムフォロア８４が乗り上げ、第一ロッカーアーム７１が揺動（図中反時計方向に回転）する。第一ロッカーアーム７１の揺動方向にロッド５７の先端５７ａが動作し、ロッド５７に連結されている第一の真空スイッチ１１内の第一接点１１ａが開く。この状態では、第二の真空スイッチ１２，制限抵抗１３側を電流が流れる。
【００３７】
図８は、動作過程２の状態を示している。この状態では、ばね蓄勢駆動機構４の動作力によって、駆動軸６の回転が継続し、切換開閉器板５２と第一歯車７５および第二歯車７７も回転を継続する。その結果、切換開閉器板５２に取り付いている第一可動接点５６はタップ『３』に接続されるタップ固定接点５４に接触し、第二可動接点６６はタップ『２』に接続されるタップ固定接点５４に接触した状態のままである。この時、タップ『２』から『３』に移行した第一可動接点５６は開いている第一の真空スイッチ１１に接続され無負荷状態であるためアークの発生は無い。
【００３８】
図９は、動作過程３の状態を示している。この状態では、ばね蓄勢駆動機構４の動作力によって、駆動軸６の回転が継続し、切換開閉器板５２と第一歯車７５および第二歯車７７も回転を継続する。その結果、第一可動接点５６はタップ『３』に接続されるタップ固定接点５４に接触し、第二可動接点６６はタップ『２』に接続されるタップ固定接点５４に接触した状態は継続するものの、その接触している角度位置が進む。また、第一のロッカーアーム７１のカムフォロア８４が第一変換カム８１の凸部８１ａの形成領域から離脱するため、図示省略するばねの弾性復元力により第一のロッカーアーム７１が元の位置に復帰する。これにより、ロッド５７が動作し、ロッド５７に連結されている第一接点１１ａの他方の接点片１１ａ″が一方の接点１１ａに接近方向に移動し、接触することで第一接点１１ａが閉じる。
【００３９】
第１０図は、動作過程４の状態を示している。この状態では、ばね蓄勢駆動機構４の動作力によって、駆動軸６の回転が継続し、切換開閉器板５２と第一歯車７５および第二歯車７７も回転を継続する。その結果、第一可動接点５６はタップ『３』に接続されるタップ固定接点５４に接触し、第二可動接点６６はタップ『２』に接続されるタップ固定接点５４に接触した状態は継続するものの、その接触している角度位置がさらに進む。そして、第二変換カム８２の凸部８２ａに第二のロッカーアーム７２のカムフォロア８５が乗り上げて揺動する。第二のロッカーアーム７２の揺動方向にロッド６７が動作し、ロッド６７に連結されている第二の真空スイッチ内の第二接点１２ａが開く。この状態では、第一の真空スイッチ１１側を電流が流れる。
【００４０】
図１１は、動作過程５の状態を示している。この状態では、ばね蓄勢駆動機構４の動作力によって、駆動軸６の回転が継続し、切換開閉器板５２と第一歯車７５および第二歯車７７も回転を継続する。切換開閉器板５２に取り付いている第一，第二可動接点５６，６６がタップ固定接点『３』に接触した状態になる。この時、タップ『２』から『３』に移行した第二可動接点６６は開いている第二の真空スイッチ内の第二接点１２ａに接続され無通電状態であるためアークの発生は無い。
【００４１】
図１２は、動作完了状態の状態を示している。この状態では、ばね蓄勢駆動機構４の動作力によって、駆動軸６の回転が継続し、切換開閉器板５２と第一歯車７５および第二歯車７７も回転を継続する。第二のロッカーアーム７２のカムフォロア８５が第二変換カム８２の凸部８２ａの形成領域から離脱するため、図示省略するばねの弾性復元力により第二のロッカーアーム７２が元の位置に復帰する。これにより、ロッド６７が動作し、ロッド６７に連結されている第二接点１２ａの他方の接点片１２ａ″が一方の接点片１２ａ′に接近方向に移動し、接触することで第二接点１２ａが閉じる。以降、同様の処理を繰り返し行うことでタップの切換が行える。
【００４２】
図１３，図１４は、本発明の第２の実施形態である１抵抗３真空スイッチの負荷時タップ切換器の一相分のタップ切換器および切換開閉器並びに結線図を示している。第一の真空スイッチ１１の一端、第二の真空スイッチ１２と直接の接続された制限抵抗１３の一端および第三の真空スイッチ１５の一端は、共通接続端子（共通固定接点５３）に接続されている。これに伴い、第三の真空スイッチ１５の接点を開閉するためのロッカーアーム７２′とカムフォロア８５′と、動作軸７６に連結する第三変換カム（外周面の所定位置に凸部があり、カムフォロア８５′を付勢しロッカーアーム７２′を移動させる）等を設ける。一方、真空スイッチ１１の他端は第二可動接点５６を介して偶数側タップのタップ固定接点５４Ｒに接続されている。また、第二の真空スイッチ１２の他端と第三の真空スイッチ１５の他端とを接続し、第二の可動接点６６を介して奇数側タップのタップ固定接点５４Ｌに接続されている。
【００４３】
図１４（ａ）に示す状態では、第一の真空スイッチ１１は閉路状態、第二の真空スイッチ１２および第三の真空スイッチ１５は開路状態となっている。この状態では第一可動接点５６および第一の真空スイッチ１１を介して２番目のタップであるタップ固定接点５４Ｒが共通接続端子１４に接続され、電圧調整されている。
【００４４】
図１４（ｂ）は、図１４（ａ）の状態から奇数側の３番目のタップ固定接点５４Ｌにタップを切り換えた状態を示している。この状態では、第一の真空スイッチ１１は開路状態、第三の真空スイッチ１５は閉路状態である。 第二可動接点６６および第三の真空スイッチ１５を介して３番目のタップであるタップ固定接点５４Ｌが共通接続端子１４に接続され、タップ５４Ｒからタップ５４Ｌに切り換り、電圧調整されている。なお、第二の真空スイッチ１２はタップ選択過程において、開路→閉路→開路の動作を行う。その他の構成並びに作用効果は上述した実施形態と同様であるため対応する部材に同一符号を付し、詳細な説明を省略する。
【符号の説明】
【００４５】
１  負荷時タップ切換器
２  巻線
２Ｍ  主巻線
２Ｔ  タップ巻線
３  タップ
３Ｓ  タップ接続線
４  ばね蓄勢駆動機構
４ｄ  連結柱
５  ばね蓄勢駆動機構の出力軸
６  駆動軸
１０  切換開閉器
１１  第一の真空スイッチ
１２  第二の真空スイッチ
１３  制限抵抗
１４  共通接続端子
１５  第三の真空スイッチ
２０  タップ選択器
４３  柱部
４５  駆動モータ
５１  タップ選択器板
５２  切換開閉器板（絶縁板）
５３  共通固定接点
５４  タップ固定接点
５６  第一可動接点
５９  共通可動接点
６６  第二可動接点
６７  ロッド
７３  回転軸
７６  動作軸
【図１】
0006499030.tif 000002
【図２】
0006499030.tif 000003
【図３】
0006499030.tif 000004
【図４】
0006499030.tif 000005
【図５】
0006499030.tif 000006
【図６】
0006499030.tif 000007
【図７】
0006499030.tif 000008
【図８】
0006499030.tif 000009
【図９】
0006499030.tif 000010
【図１０】
0006499030.tif 000011
【図１１】
0006499030.tif 000012
【図１２】
0006499030.tif 000013
【図１３】
0006499030.tif 000014
【図１４】
0006499030.tif 000015